(57)【要約】複数の周波数帯域動作用の同調式デュアルアンテナシステム。  複数の周波数帯域動作用の同調式デュアルアンテナシステムが開示され、それは装置に複数の周波数および／またはＣＤＭＡおよびＧＳＭのような、複数のモードの間を切り替えさせる。このシステムは同調式送信アンテナおよび同調式受信アンテナを具備してもよい。１つの構成は複数の送信アンテナおよび複数の受信アンテナを具備してもよい。
2009506685.tif 000002
【特許請求の範囲】
【請求項１】
無線通信装置であって、
第１の通信モードと関連する第１の送信周波数帯域を該第１の通信モードまたは第２の通信モードと関連する第２の送信周波数帯域に変更するための第１の同調エレメントを有する送信アンテナ、および
該第１の通信モードと関連する第１の受信周波数帯域を該第１の通信モードまたは該第２の通信モードと関連する第２の受信周波数帯域に変更するための第２の同調エレメントを有する受信アンテナ
を具備する無線通信装置。
【請求項２】
該周波数帯域が符号分割多重アクセス（ＣＤＭＡ）４５０ＭＨｚ、ＣＤＭＡ８００ＭＨｚ、拡大移動通信用グローバルシステム（ＥＧＳＭ）９００ＭＨｚ、グローバルポジショニングシステム（ＧＰＳ）１５７５ＭＨｚ、ＣＤＭＡ１８００ＭＨｚ、ＣＤＭＡ１９００ＭＨｚ、ディジタルセルラシステム（ＤＣＳ）１７００ＭＨｚ、および世界移動電気通信システム（ＵＭＴＳ）１９００ＭＨｚの少なくとも２つを具備する、請求項１記載の装置。
【請求項３】
該第１の送信周波数帯域が該第２の送信周波数帯域よりも少なくとも１００ＭＨｚ高い、請求項１記載の装置。
【請求項４】
該第１および第２の通信モードがＣＤＭＡ、ＧＳＭ、広帯域ＣＤＭＡ（ＷＣＤＭＡ）、時分割同期ＣＤＭＡ（ＴＤ−ＳＣＤＭＡ）、直交周波数分割多重化（ＯＦＤＭ）、およびＷｉＭＡＸの少なくとも２つを具備する、請求項１記載の装置。
【請求項５】
第１および第２の同調エレメントが電圧可変超小型電気機械システム（ＭＥＭＳ）を具備する、請求項１記載の装置。
【請求項６】
第１および第２の同調エレメントが電圧可変強誘電性コンデンサを具備する、請求項１記載の装置。
【請求項７】
該第１の送信周波数帯域および該第１の受信周波数帯域が互いに実質的に分離されている、請求項１記載の装置。
【請求項８】
該送信アンテナが該受信アンテナと直交的に配置される、請求項１記載の装置。
【請求項９】
受信ダイバーシティを提供するための第３の同調エレメントを有する第２の受信アンテナをさらに具備する、請求項１記載の装置。
【請求項１０】
送信ダイバーシティを提供するための第３の同調エレメントを有する第２の送信アンテナをさらに具備する、請求項１記載の装置。
【請求項１１】
無線通信装置であって、
第１の通信モードと関連する第１の送信周波数帯域を該第１の通信モードまたは第２の通信モードと関連する第２の送信周波数帯域に変更するための第１の同調手段を有する送信手段、および
該第１の通信モードと関連する第１の受信周波数帯域を該第１の通信モードまたは該第２の通信モードと関連する第２の受信周波数帯域に変更するための第２の同調手段を有する受信手段
を具備する無線通信装置。
【請求項１２】
無線通信装置であって、
第１の通信モードと関連する第１の送信周波数セットのチャネルを該第１の通信モードまたは第２の通信モードと関連する第２の送信周波数セットのチャネルに変更するための第１の同調エレメントを有する送信アンテナ、および
該第１の通信モードと関連する第１の受信周波数セットのチャネルを該第１の通信モードまたは該第２の通信モードと関連する第２の受信周波数セットのチャネルに変更するための第２の同調エレメントを有する受信アンテナ
を具備する無線通信装置。
【請求項１３】
無線通信のための方法であって、該方法は、
第１のアンテナで信号を送信すること、そして第１の無線通信モードと関連する第１の周波数レンジを使用している第２のアンテナで信号を受信すること、
該送信および受信アンテナを該第１の通信モードまたは第２の無線通信モードと関連する第２の周波数レンジに同調すること、および
該第１のアンテナで信号を送信すること、そして該第２の周波数レンジを使用している該第２のアンテナで信号を受信すること、
を具備する方法。
【請求項１４】
該第２の無線通信モードが該第１の無線通信モードよりも良好な通信を提供するかどうかを決定することをさらに具備する、請求項１３記載の方法。
【請求項１５】
該周波数レンジが符号分割多重アクセス（ＣＤＭＡ）４５０ＭＨｚ、ＣＤＭＡ８００ＭＨｚ、拡大移動通信用グローバルシステム（ＥＧＳＭ）９００ＭＨｚ、グローバルポジショニングシステム（ＧＰＳ）１５７５ＭＨｚ、ＣＤＭＡ１８００ＭＨｚ、ＣＤＭＡ１９００ＭＨｚ、ディジタルセルラシステム（ＤＣＳ）１７００ＭＨｚ、および世界移動電気通信システム（ＵＭＴＳ）１９００ＭＨｚの少なくとも２つを具備する、請求項１３記載の方法。
【請求項１６】
該第１の周波数レンジが該第２の周波数レンジよりも少なくとも１００ＭＨｚ高い、請求項１３記載の方法。
【請求項１７】
該第１および第２の通信モードがＣＤＭＡ、ＧＳＭ、広帯域ＣＤＭＡ（ＷＣＤＭＡ）、時分割同期ＣＤＭＡ（ＴＤ−ＳＣＤＭＡ）、直交周波数分割多重化（ＯＦＤＭ）、およびＷｉＭＡＸの少なくとも２つを具備する、請求項１３記載の方法。
【請求項１８】
該第１のアンテナおよび第２のアンテナが互いに実質的に分離されている周波数帯域を使用する、請求項１３記載の方法。
【請求項１９】
受信ダイバーシティを提供するための第３のアンテナで信号を受信することをさらに具備する、請求項１３記載の方法。
【請求項２０】
送信ダイバーシティを提供するための第３のアンテナで信号を送信することをさらに具備する、請求項１３記載の方法。
【請求項２１】
無線通信のための方法であって、該方法は、
第１のアンテナで信号を送信すること、そして第１の無線通信モードと関連する第１の周波数セットのチャネルを使用している第２のアンテナで信号を受信すること、
該送信および受信アンテナを該第１の通信モードまたは第２の無線通信モードと関連する第２の周波数セットのチャネルに同調すること、および
該第１のアンテナで信号を送信すること、そして該第２の周波数セットのチャネルを使用している該第２のアンテナで信号を受信すること
を含む方法。
【発明の詳細な説明】
【技術分野】
【０００１】
［分野］
本出願は一般に通信に関し、そしてより詳しくは、同調式デュアルアンテナシステムに関する。
【０００２】
［背景］
移動体電話のような、無線通信装置は、信号を送受信するための単一のアンテナを有することができる。複数の周波数帯域および複数の無線通信標準をサポートするための要望は現存のアンテナのサイズを増すことまたは追加のアンテナを設置することを必要とする可能性がある。これらのオプションは小形のフォームファクタを持つより新しい無線装置に対する課題を作り出す。
【発明の開示】
【０００３】
［詳細な記載］
“世界電話(world phone)”のようないくつかの無線通信装置は、複数の周波数帯域（“マルチバンド”）および複数の通信標準（“マルチモード(multi - mode)”）で動作することを意味し、それらは正確に機能するためにマルチバンドアンテナおよび／または複数のアンテナを必要とするかもしれない。物理学の法則は、マルチバンドアンテナが必要な周波数帯域上で機能するためにはシングルバンドアンテナよりも電気的に大きくなることを要求する。“マルチバンド”装置は各周波数帯域のために１つの送信／受信アンテナを使用し、従って複数の送信／受信アンテナを持つことができる（図１Ｂ）。あるいは、“マルチバンド”装置は１つのマルチバンドアンテナを使用することができるが、しかし各帯域の適切な送信器および受信器に各周波数帯域用のアンテナ信号を送るためにマルチプレクサまたは単極複投スイッチを追加することが必要となる。
【０００４】
同様に、“マルチモード”装置は各通信標準用の１つの送信／受信アンテナを使用し、従って複数の送信／受信アンテナを持つことができる（図１Ｂ）。あるいは、“マルチモード”装置は作動するために追加のマルチプレクサまたは単極複投スイッチを有する１つのマルチバンドアンテナを使用することができる。ＥＶ−ＤＯ（最適化展開データ;Evolution Data Optimized）およびＭＩＭＯ（複数入力複数出力;Multiple Input Multiple Output）のような、いくつかの無線標準は、データ処理能力性能および音声品質を高めるために追加のアンテナを必要とするダイバーシティスキームを使用できる。無線通信装置上のより多くのマルチバンドアンテナについての要望は大きくなり、そして無線装置のサイズおよびコストにおける増加によって問題になった。ハンドセット製造業者はかれらの装置のコストとサイズとを減らすべく重圧下にある。
【０００５】
図１Ａは単一の送信／受信アンテナ１０２、デュプレクサ１０４、送信回路１０６および受信回路１０８を有するシステム１００を示す。デュプレクサは送信回路１０６および受信回路１０８に送信および受信信号用の単一のアンテナ１０２を共有させる。
【０００６】
図１Ｂは複数の送信／受信アンテナ１０２，１１２、デュプレクサ１０４，１１４、送信回路１０６，１１６および受信回路１０８，１１８を有するシステム１１０を示す。一例として、アンテナ１０２、デュプレクサ１０４、送信回路１０６および受信回路１０８はＣＤＭＡ信号を送信および受信するように構成されてもよく、一方アンテナ１１２、デュプレクサ１１４、送信回路１１６および受信回路１１８はＧＳＭまたはＷＣＤＭＡ信号を送信および受信するように構成されてもよい。
【０００７】
図１Ｃは別々の非同調式送信および受信アンテナ１２２，１２３、送信回路１２６および受信回路１２８を有するシステム１２０を示す。このシステム１２０が有する問題は、カップリング、即ち、図３Ｃに示されるような、送信および受信信号間のエネルギーまたは周波数の誘導雑音、重なりまたは漏洩であるかもしれない。
【０００８】
図３Ａは図１Ａのシステム１００に関して送信（ＴＸ）および受信（ＲＸ）周波数帯域３００について反射電力の表現でアンテナ周波数応答を示す。
【０００９】
図３Ｂは図１Ｂのシステム１１０に関して送信および受信周波数帯域３０２Ａ，３０２Ｂについて反射電力の表現でアンテナ周波数応答を示す。
【００１０】
図３Ｃは図１Ｃのシステム１２０に関して送信および受信周波数帯域３０４，３０６について反射電力の表現でアンテナ周波数応答を示す。
【００１１】
一例として、理想的な送信周波数帯域は８２４〜８４９メガヘルツ（ＭＨｚ）であってもよく、そして１つの構成においては理想的な受信周波数帯域は８６９〜８９４ＭＨｚであってもよい。図３Ｃに示されたように、送信周波数帯域３０４は受信周波数帯域３０６と重なり、それは送信および受信回路１２６，１２８内に干渉または雑音を引き起こす可能性がある。そのような干渉または雑音を制限するためにフィルタまたはアイソレータが付加されねばならない可能性がある。
【００１２】
図２Ａは、この出願の１実施形態に従う、２つの同調式アンテナ２０２，２０３、周波数コントローラ２１０、送信回路２０６および受信回路２０８を有する装置２２０を示す。この装置２２０は複数の周波数帯域および／または複数の無線通信モードに対して同調可能である１組の別々の送信および受信アンテナ２０２，２０３を有する。装置２２０は、移動体電話機、パーソナルディジタルアシスタント（ＰＤＡ;personal digital assistant）、ページャ、固定装置、あるいはラップトップまたはノートブックコンピュータのようなコンピュータに挿入、プラグインまたは付加されることができる、携帯型通信カード（例えば、パーソナルコンピュータメモリカード国際協会（ＰＣＭＣＩＡ；Personal Computer Memory Card International Association））のような、無線通信装置であってもよい。
【００１３】
アンテナ２０２，２０３は十分に小型であり、そして特定の通信装置の内部にフィットする大きさに合わせて作られることができる。送信および受信回路２０６，２０８は別々のユニットとして示されるが、しかしプロセッサ、メモリ、疑似ランダムノイズ（ＰＮ;pseudo-random noise）シーケンスジェネレータ、等のような、１つまたはそれ以上のエレメントを共有できる。装置２２０は装置２２０のサイズおよびコストを減らすことができる、図１Ａにおけるようなデュプレクサ１０４を要求しなくてもよい。
【００１４】
別々の送信および受信同調式アンテナ２０２，２０３は周波数同調／適合エレメントを有し、それは複数の周波数帯域（マルチバンド）（また周波数レンジまたはセットのチャネルとも呼ばれる）内の通信を可能とするように周波数コントローラ２１０によっておよび／または複数の無線標準（マルチモード）に従って制御されることができる。アンテナシステム２００は特定の動作周波数に関してそれの性能を順応可能に最適化するように構成される。これは異なる周波数帯域および／または異なる無線標準を有するいろいろな国または地域内で装置２００を使用したいユーザにとって有用であるかもしれない。
【００１５】
例えば、アンテナ２０２，２０３は、符号分割多重アクセス（ＣＤＭＡ）４５０ＭＨｚ、ＣＤＭＡ８００ＭＨｚ、拡張広域自動車通信システム（ＥＧＳＭ;Extend Global System for Mobile Communications）９００ＭＨｚ、グローバルポジショニングシステム（ＧＰＳ）１５７５ＭＨｚ、ＣＤＭＡ１８００ＭＨｚ、ＣＤＭＡ１９００ＭＨｚ、ディジタルセルラシステム（ＤＣＳ）１７００ＭＨｚ、世界移動電気通信システム（ＵＭＴＳ;Universal Mobile Telecommunications System）１９００ＭＨｚ、等のような、マルチバンド無線アプリケーションの任意の周波数帯域内で動作するように同調されることができる。アンテナ２０２，２０３は、１つまたはそれ以上の１．２５ＭＨｚ搬送波を使用できる、ＣＤＭＡ  １ｘ  ＥＶ−ＤＯ通信用に使用されることができる。システム２００は、ＣＤＭＡ、ＧＳＭ、広帯域ＣＤＭＡ（ＷＣＤＭＡ;Wideband CDMA）、時分割同期ＣＤＭＡ（ＴＤ−ＳＣＤＭＡ;Time-Division Synchronous CDMA）、直交周波数分割多重化（ＯＦＤＭ;Orthogonal Frequency Division Multiplexing）、ＷｉＭＡＸ、等のような、複数の無線標準（マルチモード）を使用できる。
【００１６】
アンテナ２０２，２０３の同調エレメントは別々のエレメントであるかまたは単一のエレメントとして統合されてもよい。同調エレメントは送信および受信回路２０６，２０８内の別々のコントロールユニットによって制御されるか、または周波数コントローラ２１０のような単一のコントロールユニットによって制御されてもよい。
【００１７】
図４は図２のシステム２００に関して送信および受信周波数帯域について反射電力を示す。図３にはあるような図４内の帯域４００，４０２の重なりはない。帯域４００，４０２間には固定のまたは調整可能なギャップがあってもよい。帯域４００，４０２は図３における帯域３００，３０２よりも狭くてもよい。アンテナ２０２，２０３は送信および受信回路２０６，２０８の間のカップリング（または誘導雑音）を最小化するためにより狭い個々の周波数応答を有してもよい。任意のタイムスロットでは、図４および８に示されたように、各アンテナは動作チャネルの周りの送信または受信周波数サブバンドの小部分のみをカバーすればよい。
【００１８】
同調エレメントはＴＸおよびＲＸアンテナ２０２，２０３の動作周波数を変更するために使用されることができる。同調エレメントは電圧可変超小型電気機械システム（ＭＥＭＳ）、電圧可変強誘電性コンデンサ、バラクタ、バラクタダイオードまたは他の周波数調整エレメントであってもよい。例えば、同調エレメントに適用される種々の電圧または電流は、アンテナ２０２および２０３の送信または受信周波数を変更する、同調エレメントの容量を変更することができる。
【００１９】
デュアルアンテナシステム２００は１つまたはそれ以上の利点を有することができる。デュアルアンテナシステム２００は高度に分離（低カップリング、低漏洩）されることができる。図７に示されたような１ペアの直交アンテナはさらにより高度な分離（低カップリング）を提供できる。高いＱおよび狭帯域アンテナは、ＣＤＭＡシステムのような、全２重システム内のＴＸおよびＲＸチェーン間に高度な分離を提供できる。
【００２０】
アンテナ２０２，２０３間に高度な分離を提供するために狭い瞬間帯域幅を有する別々の且つ小型のＴＸおよびＲＸアンテナ２０２，２０３を使用することによって、システム２００は特定のデュプレクサ、マルチプレクサ、スイッチおよびアイソレータを、マルチバンドおよび／またはマルチモード装置内の無線周波数（ＲＦ）回路から省くことができ、それはコストを節約して回路板面積を減少させる。
【００２１】
より小型のアンテナは装置２２０内のアンテナ搭載位置の選択により多くの柔軟性を提供する。
【００２２】
システム２００はより良い信号品質、即ち、より良い音声品質またはより高いデータレートを提供するために調波阻止(harmonic  rejection)の機能を高めることができる。
【００２３】
システム２００は無線装置サイズおよびコストを低減させるために送信器および／または受信器回路でアンテナの統合を可能にすることができる。システム２００の周波数同調式送信および受信アンテナ２０２，２０３は、アンテナのサイズおよび／または数量を減少させることによってホストマルチモードおよび／またはマルチバンド無線装置のサイズおよびコスト低減を可能にすることができる。
【００２４】
システム２００はダイバーシティ特徴、例えば、ＥＶ−ＤＯまたはＭＩＭＯシステム内の、例えば、偏波ダイバーシティ（図７）または空間ダイバーシティ（図２Ｂ）を実施するために使用されることができる。図２Ｂは送信ダイバーシティおよび／または受信ダイバーシティを提供できる、複数の同調式アンテナ２３２Ａ，２３２Ｂ，２３３Ａ，２３３Ｂを有する装置を示す。任意数の同調式送信および／または受信アンテナが実施されてもよい。
【００２５】
図２Ａのアンテナ２０２，２０３は装置２２０内部にいろいろな方法でおよび位置に構成されてもよい。図５〜７はいくつかの実例を提供する。
【００２６】
図５は２つの（同調エレメントを有する）アンテナ５０２，５０４が装置５００またはこの装置のプレートあるいは回路板の内側に、近くにまたは上部に配置される構成（正面図）を示す。図５はまた送信および受信回路またはソース５０６，５０８も示す。
【００２７】
図６は２つのアンテナ６０２，６０４が装置６００の水平面またはこの装置の回路板に実質的に垂直をなして配置される構成（断面端図）を示す。これは平板逆“Ｆ”アンテナ（ＰＩＦＡ）と呼ばれてもよい。図６はまた送信および受信回路６０６，６０８も示す。
【００２８】
図７は１つのアンテナ７０２が装置７００またはこの装置の回路板の上または内側の第２のアンテナ７０４に実質的に直交して配置される構成（正面図）を示す。図７はまた送信および受信回路７０６，７０８も示す。
【００２９】
図８は図２のＴＸ／ＲＸアンテナペア２０２，２０３の周波数同調性を説明するために測定された反射電力の一例を示す。図８の上半分は８５３ＭＨｚの中心周波数および１．８ピコファラッド（ｐＦ）の容量を有する送信アンテナ反射電力を示す。上半分はまた８９９ＭＨｚの中心周波数および１．８ｐＦの容量を有する受信アンテナ反射電力も示す。図８の下半分は８３７ＭＨｚの中心周波数および２ｐＦの容量を有する送信アンテナ反射電力を示す。下半分はまた８７６ＭＨｚの中心周波数および２ｐＦの容量を有する受信アンテナ反射電力も示す。他のデータはアンテナシステム２００のいろいろな構成およびパラメータを使用して測定されることができる。
【００３０】
図９は図２のアンテナシステム２００を使用することに関する方法を示す。ブロック９００では、システム２００は第１のアンテナ２０２で信号を送信し、そして第１の無線通信モードと関連する第１の周波数レンジを使用している第２のアンテナ２０３で信号を受信する。第１の周波数レンジは１セットのチャネル、例えば、異なる符号および／または周波数によって定義されたチャネルであってもよい。
【００３１】
ブロック９０２では、装置２２０は周波数レンジおよび／またはモード内に変化があったかどうかを決定する。もしも無ければ、アンテナシステム２００はブロック９００内で継続できる。もしも変化があったならば、その後システム２００はブロック９０４に移行する。装置２２０は周波数レンジおよび／または第２の無線通信モードが第１の周波数レンジおよび／または無線通信モードよりも良好な通信（パイロットまたはデータ信号受信、信号対雑音比（ＳＮＲ）、フレームエラーレート（ＦＥＲ）、ビットエラーレート（ＢＥＲ）、等）を提供するかどうかを決定することができる。
【００３２】
ブロック９０４では、システム２００は第１の無線通信モードまたは第２の無線通信モードと関連する第２の周波数レンジに従ってエレメント２１０，２１２を有するアンテナ２０２，２０３を同調する。第２の周波数レンジは１セットのチャネル、例えば、異なる符号および／または周波数によって定義されたチャネルであってもよい。
【００３３】
ブロック９０６では、システム２００は第１のアンテナ２０２で信号を送信し、そして第２の周波数レンジを使用している第２のアンテナで信号を受信する。
【００３４】
この分野内の技術者は情報および信号が種々様々な異なるテクノロジーおよびテクニックのいずれかを使用して表示されうることを理解するであろう。例えば、上記説明の全体を通して参照される可能性があるデータ、指示、命令、情報、信号、ビット、記号、およびチップは、電圧、電流、電磁波、磁界または粒子、光学界または粒子、あるいはそれらの任意の組合わせによって表示されることができる。
【００３５】
技術者はこの中に開示された実施形態に関して記述されたいろいろな実例となる論理ブロック、モジュール、回路、およびアルゴリズムステップは電子ハードウェア、コンピュータソフトウェア、または両者の組合わせとして実施されうることをさらに認識するであろう。ハードウェアおよびソフトウェアのこの互換性を明確に説明するために、いろいろな実例となるコンポーネント、ブロック、モジュール、回路、およびステップは、一般にそれらの機能性の表現で上述された。そのような機能性がハードウェアまたはソフトウェアとして実施されるかどうかはシステム全体に課された特定のアプリケーションと設計の制約とによる。熟練技工は各特定のアプリケーションについて異なる方法で記述された機能性を実施できるが、しかしそのような実施の決定が本発明の範囲からの逸脱を引き起こすと理解されてはならない。
【００３６】
この中に開示された実施形態に関して記述されたいろいろな実例となる論理ブロック、モジュール、および回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）または他のプログラマブル論理装置、ディスクリートゲートまたはトランジスタ論理、ディスクリートハードウェアコンポーネント、あるいはこの中に記述された機能を実行するように設計されたそれの任意の組合わせで実施または実行されることができる。汎用プロセッサはマイクロプロセッサであってもよいが、しかし代替案では、プロセッサは任意の従前のプロセッサ、コントローラ、マイクロコントローラ、またはステートマシンであってもよい。プロセッサはまた計算装置、例えば、ＤＳＰとマイクロプロセッサとの組合わせ、複数のマイクロプロセッサ、ＤＳＰコアとともに１つまたはそれ以上のマイクロプロセッサ、あるいは任意の他のそのような構成として実施されてもよい。
【００３７】
この中に開示された実施形態に関して記述された方法のステップまたはアルゴリズムはハードウェアで、プロセッサにより実行されるソフトウェアモジュールで、またはこの２つの組合わせで直接具体化されることができる。ソフトウェアモジュールはランダムアクセスメモリ（ＲＡＭ）、フラッシュメモリ、読出し専用メモリ（ＲＯＭ）、電気的プログラマブルＲＯＭ（ＥＰＲＯＭ）、電気的消去可能形プログラマブルＲＯＭ（ＥＥＰＲＯＭ）、レジスタ、ハードディスク、着脱可能形ディスク、ＣＤ−ＲＯＭ、あるいはこの分野において既知の任意の他の形式の蓄積媒体に属してもよい。典型的な蓄積媒体はプロセッサに連結され、そのようなプロセッサはこの蓄積媒体から情報を読み取り、それに情報を書き込むことができる。代替案では、蓄積媒体はプロセッサに一体化されることができる。プロセッサと蓄積媒体とは１ＡＳＩＣ内に存在してもよい。このＡＳＩＣはユーザ端末内に存在してもよい。代替案では、プロセッサと蓄積媒体とはディスクリートコンポーネントとして１ユーザ端末内に存在してもよい。
【００３８】
開示された実施形態の前の説明はこの分野の任意の技術者が本発明を製作または使用することを可能とするように提供される。これらの実施形態へのいろいろな変更はこの分野の技術者にはたやすく明白であるだろうし、そしてこの中に定義された包括的な原理はこの発明の精神または範囲から逸脱すること無しに他の実施形態に適用されてもよい。従って、本発明はこの中に示された実施形態に制限されるつもりはなく、しかしむしろこの中に開示された原理および新規な特徴と矛盾しない最も広い範囲が許容されるべきである。
【図面の簡単な説明】
【００３９】
【図１Ａ】単一の送信／受信アンテナを有するシステムを示す図。
【図１Ｂ】複数の送信／受信アンテナを有するシステムを示す図。
【図１Ｃ】別々の非同調式送信および受信アンテナを有するシステムを示す図。
【図２Ａ】この出願の１実施形態に従う２つの同調式アンテナを有する装置を示す図。
【図２Ｂ】送信および／または受信ダイバーシティを提供できる、複数の同調式アンテナを有する装置を示す図。
【図３Ａ】図１Ａのシステムに関して送信および受信周波数帯域について反射電力の表現でアンテナ周波数応答を示す図。
【図３Ｂ】図１Ｂのシステムに関して送信および受信周波数帯域について反射電力の表現でアンテナ周波数応答を示す図。
【図３Ｃ】図１Ｃのシステムに関して送信および受信周波数帯域について反射電力の表現でアンテナ周波数応答を示す図。
【図４】図２のシステムに関して送信および受信周波数帯域について反射電力の表現でアンテナ共振周波数応答を示す図。
【図５】２つのアンテナが装置またはこの装置の回路板の内側に、近くにまたは上部に配置される構成を示す図。
【図６】２つのアンテナが装置またはこの装置の回路板の水平面（断面図）に実質的に直交して配置される構成を示す図。
【図７】１つのアンテナが装置またはこの装置の回路板の上または内側の第２のアンテナに実質的に直交して配置される構成を示す図。
【図８】図２のＴＸ／ＲＸアンテナペアの周波数同調性を説明するために反射電力の表現で測定されたアンテナ周波数応答の一例を示す図。
【図９】図２のアンテナシステム２００を使用することに関する方法を示す図。
【符号の説明】
【００４０】
２０６…送信回路、２０８…受信回路、２１０…周波数コントローラ
【図１Ａ】
2009506685.tif 000003
【図１Ｂ】
2009506685.tif 000004
【図１Ｃ】
2009506685.tif 000005
【図２Ａ】
2009506685.tif 000006
【図２Ｂ】
2009506685.tif 000007
【図３Ａ】
2009506685.tif 000008
【図３Ｂ】
2009506685.tif 000009
【図３Ｃ】
2009506685.tif 000010
【図４】
2009506685.tif 000011
【図５】
2009506685.tif 000012
【図６】
2009506685.tif 000013
【図７】
2009506685.tif 000014
【図８】
2009506685.tif 000015
【図９】
2009506685.tif 000016
【国際調査報告】
2009506685.tif 000017
2009506685.tif 000018
2009506685.tif 000019